(57)【要約】  【課題】  磁気記録再生装置内に外光が入って来ても、確実に磁気テープの始終端を検出することができるテープエンド検出装置を提供する。  【解決手段】  例えばテープ走行中に、外光が装置内に入り、前段テープ始端検出用受光素子であるフォトトランジスタ７または／および前段テープ終端検出用受光素子であるフォトトランジスタ６が外光を受光すると、テープ始端側発光素子である発光ダイオード１０または／およびテープ終端側発光素子である発光ダイオード８が発光するが、この光は磁気テープ３により遮られ、後段テープ始端検出用受光素子であるフォトトランジスタ１１または／および後段テープ終端検出用受光素子であるフォトトランジスタ９には届かないので、フォトトランジスタ１１または／およびフォトトランジスタ９はオン動作せず、磁気テープ３の始端または／および終端を検出するような誤動作は起きない。【選択図】      図１
2006031812.tif 000002
【特許請求の範囲】
【請求項１】
テープ始終端に透明テープを配する磁気テープの始終端を検出するテープエンド検出装
置において、送り出し側テープ走行路と巻き取り側テープ走行路との間の中央または中央
付近に配置されたテープ始終端検出用発光素子と、巻き取り側テープ走行路を挟んで前記
テープ始終端検出用発光素子と対向的に配置された前段テープ始端検出用受光素子と、こ
の前段テープ始端検出用受光素子が光を受光したときに発光するテープ始端側発光素子と
、巻き取り側テープ走行路を挟んで前記テープ始端側発光素子と対向的に配置された後段
テープ始端検出用受光素子と、送り出し側テープ走行路を挟んで前記テープ始終端検出用
発光素子と対向的に配置された前段テープ終端検出用受光素子と、この前段テープ終端検
出用受光素子が光を受光したときに発光するテープ終端側発光素子と、送り出し側テープ
走行路を挟んで前記テープ終端側発光素子と対向的に配置された後段テープ終端検出用受
光素子とを備え、前記後段テープ始端検出用受光素子の動作により磁気テープの始端を検
出すると共に、前記後段テープ終端検出用受光素子の動作により磁気テープの終端を検出
することを特徴とするテープエンド検出装置。
【請求項２】
テープ始終端に透明テープを配する磁気テープの始終端を検出するテープエンド検出装
置において、磁気テープの裏面に向かって第１の光を出射し、第１の光が磁気テープの始
端に配された透明テープを通過し、この通過した第１の光の受光により第２の光を発光し
、第２の光が磁気テープの表面に向かって出射され、前記透明テープを通過し、第２の光
を受光することにより、磁気テープの始端を検出するテープ始端センサ部と、磁気テープ
の裏面に向かって第１の光を出射し、第１の光が磁気テープの終端に配された透明テープ
を通過し、この通過した第１の光の受光により第３の光を発光し、第３の光が磁気テープ
の表面に向かって出射され、前記透明テープを通過し、第３の光を受光することにより、
磁気テープの終端を検出するテープ終端センサ部とを備えたことを特徴とするテープエン
ド検出装置。
【請求項３】
前記テープ始端センサ部は、送り出し側テープ走行路と巻き取り側テープ走行路との間
の中央または中央付近に配置されたテープ始終端検出用発光素子と、巻き取り側テープ走
行路を挟んで前記テープ始終端検出用発光素子と対向的に配置された前段テープ始端検出
用受光素子と、この前段テープ始端検出用受光素子が光を受光したときに発光するテープ
始端側発光素子と、巻き取り側テープ走行路を挟んで前記テープ始端側発光素子と対向的
に配置された後段テープ始端検出用受光素子とを備えたことを特徴とする請求項２に記載
のテープエンド検出装置。
【請求項４】
前記テープ終端センサ部は、送り出し側テープ走行路と巻き取り側テープ走行路との間
の中央または中央付近に配置されたテープ始終端検出用発光素子と、送り出し側テープ走
行路を挟んで前記テープ始終端検出用発光素子と対向的に配置された前段テープ終端検出
用受光素子と、この前段テープ終端検出用受光素子が光を受光したときに発光するテープ
終端側発光素子と、送り出し側テープ走行路を挟んで前記テープ終端側発光素子と対向的
に配置された後段テープ終端検出用受光素子とを備えたことを特徴とする請求項２に記載
のテープエンド検出装置。
【請求項５】
前記第１の光は前記テープ始終端検出用発光素子から発光される光であり、前記第２の
光は前記テープ始端側発光素子から発光される光であり、前記第３の光は前記テープ終端
側発光素子から発光される光であることを特徴とする請求項２，３，４に記載のテープエ
ンド検出装置。
【発明の詳細な説明】
【技術分野】
【０００１】
本発明は、ビデオカセットレコーダなどの磁気記録再生装置に用いられ、磁気テープの
始端と終端を検出するテープエンド検出装置に関する。
【背景技術】
【０００２】
ビデオカセットレコーダなどの磁気記録再生装置においては、磁気テープを再生または
早送りしていき、磁気テープの終端に来れば、一旦停止し、この後、自動的に巻き戻しを
行って、磁気テープの始端に来れば、停止させるような動作を行わせるために、磁気テー
プの始端と終端を検出するテープエンド検出装置が備えられている。
【０００３】
図５は従来のテープエンド検出装置におけるテープ始終端検出用発光素子とテープ始端
検出用受光素子とテープ終端検出用受光素子との配置を説明するための構成図である。図
５において、１は磁気テープ３が巻き付けられている供給リール、２は供給リール１から
送り出された磁気テープ３が巻き取られる巻取りリールであり、これらは、図示しないカ
セットテープケース内に設けられている。４は周面に図示しない磁気ヘッドを有する回転
ドラムである。この回転ドラム４は磁気記録再生装置の本体ケース内に設けられている。
【０００４】
５はテープ始終端検出用発光素子としての発光ダイオード、６はテープ終端検出用受光
素子としてのフォトトランジスタ、７はテープ始端検出用受光素子としてのフォトトラン
ジスタであり、フォトトランジスタ６は送り出し側テープ走行路を挟んで発光ダイオード
５と対向的に配置され、フォトトランジスタ７は巻き取り側テープ走行路を挟んで発光ダ
イオード５と対向的に配置されている。なお、これらの素子は図示しない基板上に実装さ
れている。
【０００５】
発光ダイオード５は、カセットテープケースが磁気記録再生装置の本体ケースの前面に
設けられているテープ挿入口に挿入してセットされたときに、カセットテープケースの発
光用の孔から光が磁気テープ３の面に照射できるように、磁気記録再生装置に配置されて
いる。また、フォトトランジスタ６およびフォトトランジスタ７は、カセットテープケー
スの各受光用の孔から光が受光できるように、磁気記録再生装置に配置されている。
【０００６】
このように配置された発光ダイオード５とフォトトランジスタ６およびフォトトランジ
スタ７により、マイクロコンピュータ１４は磁気テープ３の終端および始端が検出するこ
とが可能になる。磁気テープ３の始端および終端には透明テープ（透明フィルム）が配さ
れている。したがって、フォトトランジスタ７がオンしたときは、始端の透明テープを介
して発光ダイオード５からの光をフォトトランジスタ７が受光したことになるので、マイ
クロコンピュータ１４の入力ポート１６はローレベルになり、マイクロコンピュータ１４
は磁気テープ３の始端を検出したことになる。また、フォトトランジスタ６がオンしたと
きは、終端の透明テープを介して発光ダイオード５からの光をフォトトランジスタ６が受
光したことになるので、マイクロコンピュータ１４の入力ポート１５はローレベルになり
、マイクロコンピュータ１４は磁気テープ３の終端を検出したことになる。
【特許文献１】特開平４−３７２７５７号公報
【特許文献２】特開昭６３−２１４０号公報
【特許文献３】実公平４−１６２５７号公報
【特許文献４】実公平６−１０５０４号公報
【発明の開示】
【発明が解決しようとする課題】
【０００７】
しかしながら、磁気テープ３の停止中または走行中にビデオカセットケースの隙間や磁
気記録再生装置の本体ケースの熱放出用の空気孔から太陽光など外来の光（以下、外光と
言う）が入り、その外光がテープ始端検出用受光素子であるフォトトランジスタ７やテー
プ終端検出用受光素子であるフォトトランジスタ６に届いた場合、フォトトランジスタ７
やフォトトランジスタ６が誤動作してオンになり、マイクロコンピュータ１４は、磁気テ
ープ３の始端や終端の検出動作が誤動作を起こし、早送りや巻き戻し時に、磁気テープ３
を終端や始端で止めることができなくなり、磁気テープ３がテープ切れを起こす虞がある
ので、磁気記録再生装置を使用できなくなるという課題が生じる。
【０００８】
なお、特許文献１の従来技術は、テープ走行路を挟んで発光部と、この発光部に対向的
に配置された受光部とを有し、受光部の点灯および消灯と、受光部による光検出をマイコ
ンによりプログラム制御を行いテープエンドの判断を行うように構成しているが、受光部
に関係のない光が入った場合、受光部は誤動作を行い、テープ始終端を正確に検出するこ
とが不可能になるので、この従来技術も上記のような課題を解決できるものではない。
【０００９】
特許文献２の従来技術は、発光素子が発光している時に、受光素子が受光していても、
発光素子が発光していない時、受光素子が受光していれば、テープの終端と検知しないこ
とになり、これにより外光のもれ込みによって受光素子が受光してしまっても、テープ終
端検知回路が誤ってテープ終端であると判定してしまうことを防ぐようにしているが、発
光素子が発光している時に、外光が入って受光素子が受光すると、テープ終端であると誤
判定されることになるので、この従来技術も上記のような課題を解決できるものではない
。
【００１０】
特許文献３の従来技術は、第１出力と第２出力とを交互に導出する制御信号発生手段と
、前記第１出力および第２出力の発生時に検出モードとなる受光手段と、テープ走行路を
挟んで前記受光素子と対向的に配置され前記第２出力発生時に発光状態となる発光手段と
、前記受光手段が前記第２出力にのみ同期して検出出力を発するときテープエンド検出出
力を発する判別手段とを備え、テープの終端を検出するようにしているが、前記第２出力
に同期した外光が入ったとき、前記受光手段はテープの終端を検出した検出モードとなり
、前記判別手段はテープの終端であると誤判定を行うので、この従来技術も上記のような
課題を解決できるものではない。
【００１１】
特許文献４の従来技術は、被検出体を介して発光素子から得られた光を受光素子で受光
する場合には、第１のタイミングにおいて受光素子からの出力信号は得られず、外光を受
光素子が受光した場合には、第１のタイミングにおいても受光素子から出力があるため、
これらを区別することができるようにしているが、即ち、発光ダイオードの発光直前にお
いて検出された信号は磁気テープが終端であるか否かに係わらず一定であり、このタイミ
ングで光ダイオードより、入射光有りの情報が得られた場合には、これは外光によるもの
であると判断できるようにしているが、発光ダイオードの発光していない状態で、外光を
受光素子が受光した場合の対策が施されていないので、この従来技術も上記のような課題
を解決できるものではない。
【００１２】
本発明は、上記のような課題を解決するためになされたもので、磁気記録再生装置内に
外光が入って来ても、確実に磁気テープの始終端を検出することができるテープエンド検
出装置を提供することを目的とする。
【課題を解決するための手段】
【００１３】
上記目的を達成するために、請求項１の発明は、テープ始終端に透明テープを配する磁
気テープの始終端を検出するテープエンド検出装置において、送り出し側テープ走行路と
巻き取り側テープ走行路との間の中央または中央付近に配置されたテープ始終端検出用発
光素子と、巻き取り側テープ走行路を挟んで前記テープ始終端検出用発光素子と対向的に
配置された前段テープ始端検出用受光素子と、この前段テープ始端検出用受光素子が光を
受光したときに発光するテープ始端側発光素子と、巻き取り側テープ走行路を挟んで前記
テープ始端側発光素子と対向的に配置された後段テープ始端検出用受光素子と、送り出し
側テープ走行路を挟んで前記テープ始終端検出用発光素子と対向的に配置された前段テー
プ終端検出用受光素子と、この前段テープ終端検出用受光素子が光を受光したときに発光
するテープ終端側発光素子と、送り出し側テープ走行路を挟んで前記テープ終端側発光素
子と対向的に配置された後段テープ終端検出用受光素子とを備え、前記後段テープ始端検
出用受光素子の動作により磁気テープの始端を検出すると共に、前記後段テープ終端検出
用受光素子の動作により磁気テープの終端を検出することを特徴とするテープエンド検出
装置を提供する。
【００１４】
この構成において、テープ始終端検出用発光素子からの光が磁気テープの始端側の透明
テープを通過すると、その光が前段テープ始端検出用受光素子で受光される。これにより
、テープ始端側発光素子は発光し、この光は前記透明テープを通過して後段テープ始端検
出用受光素子に入射されて、後段テープ始端検出用受光素子は動作し、磁気テープの始端
が検出されることになる。また、テープ始終端検出用発光素子からの光が磁気テープの終
端側の透明テープを通過すると、その光が前段テープ終端検出用受光素子で受光される。
これにより、テープ終端側発光素子は発光し、この光は前記透明テープを通過して後段テ
ープ終端検出用受光素子に入射されて、後段テープ終端検出用受光素子は動作し、磁気テ
ープの終端が検出されることになる。
【００１５】
ここで、例えばテープ走行中に、外光が装置内に入り、前段テープ始端検出用受光素子
または／および前段テープ終端検出用受光素子が受光すると、テープ始端側発光素子また
は／およびテープ終端側発光素子が発光するが、この光は磁気テープにより遮られ、後段
テープ始端検出用受光素子または／および後段テープ終端検出用受光素子には届かないの
で、後段テープ始端検出用受光素子または／および後段テープ終端検出用受光素子は動作
せず、磁気テープの始端または／および終端を検出するような誤動作は起きない。したが
って、この構成によれば、関係のない外光が装置内に入っても、確実に磁気テープの始終
端を検出することができる。
【００１６】
請求項２の発明は、テープ始終端に透明テープを配する磁気テープの始終端を検出する
テープエンド検出装置において、磁気テープの裏面に向かって第１の光を出射し、第１の
光が磁気テープの始端に配された透明テープを通過し、この通過した第１の光の受光によ
り第２の光を発光し、第２の光が磁気テープの表面に向かって出射され、前記透明テープ
を通過し、第２の光を受光することにより、磁気テープの始端を検出するテープ始端セン
サ部と、磁気テープの裏面に向かって第１の光を出射し、第１の光が磁気テープの終端に
配された透明テープを通過し、この通過した第１の光の受光により第３の光を発光し、第
３の光が磁気テープの表面に向かって出射され、前記透明テープを通過し、第３の光を受
光することにより、磁気テープの終端を検出するテープ終端センサ部とを備えたことを特
徴とするテープエンド検出装置を提供する。
【００１７】
この構成において、テープ始端センサ部では、磁気テープの裏面に向かって第１の光が
出射され、第１の光が磁気テープの始端に配された透明テープを通過し、この通過した第
１の光の受光により第２の光が発光され、第２の光が磁気テープの表面に向かって出射さ
れ、前記透明テープを通過し、第２の光が受光されることにより、磁気テープの始端が検
出されることになる。テープ終端センサ部では、磁気テープの裏面に向かって第１の光が
出射され、第１の光が磁気テープの終端に配された透明テープを通過し、この通過した第
１の光の受光により第３の光が発光され、第３の光が磁気テープの表面に向かって出射さ
れ、前記透明テープを通過し、第３の光が受光されることにより、磁気テープの終端が検
出されることになる。
【００１８】
ここで、例えばテープ走行中に、外光が装置内に入り、外光を第１の光と見なして受光
すると、第２の光または／および第３の光が発光するが、第２の光または／および第３の
光は磁気テープがあるため、受光されることはないので、磁気テープの始端または／およ
び終端を検出するような誤動作は起きない。したがって、この構成によれば、関係のない
外光が装置内に入っても、確実に磁気テープの始終端を検出することができる。
【００１９】
請求項３の発明では、請求項２の発明において、前記テープ始端センサ部は、送り出し
側テープ走行路と巻き取り側テープ走行路との間の中央または中央付近に配置されたテー
プ始終端検出用発光素子と、巻き取り側テープ走行路を挟んで前記テープ始終端検出用発
光素子と対向的に配置された前段テープ始端検出用受光素子と、この前段テープ始端検出
用受光素子が光を受光したときに発光するテープ始端側発光素子と、巻き取り側テープ走
行路を挟んで前記テープ始端側発光素子と対向的に配置された後段テープ始端検出用受光
素子とを備えたので、例えばテープ走行中に、外光が装置内に入り、その外光を前段テー
プ始端検出用受光素子が受光すると、テープ始端側発光素子が発光するが、この光は磁気
テープにより遮られ、後段テープ始端検出用受光素子には届かなくなり、後段テープ始端
検出用受光素子は動作せず、磁気テープの始端を検出するような誤動作は起きない。
【００２０】
請求項４の発明では、請求項２の発明において、前記テープ終端センサ部は、前記テー
プ始終端検出用発光素子と、送り出し側テープ走行路を挟んで前記テープ始終端検出用発
光素子と対向的に配置された前段テープ終端検出用受光素子と、この前段テープ終端検出
用受光素子が光を受光したときに発光するテープ終端側発光素子と、送り出し側テープ走
行路を挟んで前記テープ終端側発光素子と対向的に配置された後段テープ終端検出用受光
素子とを備えたので、例えばテープ走行中に、外光が装置内に入り、その外光を前段テー
プ終端検出用受光素子が受光すると、テープ終端側発光素子が発光するが、この光は磁気
テープにより遮られ、後段テープ終端検出用受光素子には届かなくなり、後段テープ終端
検出用受光素子は動作せず、磁気テープの終端を検出するような誤動作は起きない。
【００２１】
請求項５の発明では、請求項２、３，４の発明において、前記第１の光は前記テープ始
終端検出用発光素子から発光される光であり、前記第２の光は前記テープ始端側発光素子
から発光される光であり、前記第３の光は前記テープ終端側発光素子から発光される光で
あるので、これらの光を用いることにより、磁気テープの始終端を確実に検出することが
可能になる。
【発明の効果】
【００２２】
以上のように本発明によれば、テープ始終端に透明テープを配する磁気テープの始終端
を検出するテープエンド検出装置において、送り出し側テープ走行路と巻き取り側テープ
走行路との間の中央または中央付近に配置されたテープ始終端検出用発光素子と、巻き取
り側テープ走行路を挟んで前記テープ始終端検出用発光素子と対向的に配置された前段テ
ープ始端検出用受光素子と、この前段テープ始端検出用受光素子が光を受光したときに発
光するテープ始端側発光素子と、巻き取り側テープ走行路を挟んで前記テープ始端側発光
素子と対向的に配置された後段テープ始端検出用受光素子と、送り出し側テープ走行路を
挟んで前記テープ始終端検出用発光素子と対向的に配置された前段テープ終端検出用受光
素子と、この前段テープ終端検出用受光素子が光を受光したときに発光するテープ終端側
発光素子と、送り出し側テープ走行路を挟んで前記テープ終端側発光素子と対向的に配置
された後段テープ終端検出用受光素子とを備え、前記後段テープ始端検出用受光素子の動
作により磁気テープの始端を検出すると共に、前記後段テープ終端検出用受光素子の動作
により磁気テープの終端を検出するように構成したので、例えばテープ走行中に、外光が
装置内に入り、その外光を前段テープ始端検出用受光素子または／および前段テープ終端
検出用受光素子が受光すると、テープ始端側発光素子または／およびテープ終端側発光素
子が発光するが、この光は磁気テープにより遮られ、後段テープ始端検出用受光素子また
は／および後段テープ終端検出用受光素子には届かなくなり、これにより、後段テープ始
端検出用受光素子または／および後段テープ終端検出用受光素子は動作せず、磁気テープ
の始端または／および終端を検出するような誤動作は起きない。したがって、関係のない
外光が磁気記録再生装置に入っても、確実に磁気テープの始終端を検出することができる
。
【００２３】
また、本発明によれば、テープ始終端に透明テープを配する磁気テープの始終端を検出
するテープエンド検出装置において、磁気テープの裏面に向かって第１の光を出射し、第
１の光が磁気テープの始端に配された透明テープを通過し、この通過した第１の光の受光
により第２の光を発光し、第２の光が磁気テープの表面に向かって出射され、前記透明テ
ープを通過し、第２の光を受光することにより、磁気テープの始端を検出するテープ始端
センサ部と、磁気テープの裏面に向かって第１の光を出射し、第１の光が磁気テープの終
端に配された透明テープを通過し、この通過した第１の光の受光により第３の光を発光し
、第３の光が磁気テープの表面に向かって出射され、前記透明テープを通過し、第３の光
を受光することにより、磁気テープの終端を検出するテープ終端センサ部とを備えたので
、例えばテープ走行中に、外光が装置内に入り、外光を第１の光と見なして受光すると、
第２の光または／および第３の光が発光するが、第２の光または／および第３の光は磁気
テープがあるため、受光されず、磁気テープの始端または／および終端を検出するような
誤動作は起きない。したがって、関係のない外光が磁気記録再生装置に入っても、確実に
磁気テープの始終端を検出することができる。
【発明を実施するための最良の形態】
【００２４】
以下、添付図面を参照しつつ、本発明の実施の形態について説明する。図１は本発明の
一実施形態に係るテープエンド検出装置の回路構成を示す回路図である。
【００２５】
このテープエンド検出装置は、テープ始終端に透明テープ（透明フィルム）を配する磁
気テープ３の始終端を検出するもので、磁気テープ３の裏面に向かって第１の光を出射し
、第１の光が磁気テープ３の始端に配された透明テープを通過し、この通過した第１の光
の受光により第２の光を発光し、第２の光が磁気テープ３の表面に向かって出射され、前
記透明テープを通過し、第２の光を受光することにより、磁気テープ３の始端を検出する
テープ始端センサ部Ａと、磁気テープ３の裏面に向かって第１の光を出射し、第１の光が
磁気テープ３の終端に配された透明テープを通過し、この通過した第１の光の受光により
第３の光を発光し、第３の光が磁気テープの表面に向かって出射され、前記透明テープを
通過し、第３の光を受光することにより、磁気テープ３の終端を検出するテープ終端セン
サ部Ｂとを備えている。
【００２６】
テープ始端センサ部Ａは、送り出し側テープ走行路と巻き取り側テープ走行路との間の
中央または中央付近に配置されたテープ始終端検出用発光素子としての発光ダイオード５
と、巻き取り側テープ走行路を挟んで発光ダイオード５と対向的に配置された前段テープ
始端検出用受光素子としてのフォトトランジスタ７と、このフォトトランジスタ７が光を
受光したときに発光するテープ始端側発光素子としての発光ダイオード１０と、巻き取り
側テープ走行路を挟んで発光ダイオード１０と対向的に配置された後段テープ始端検出用
受光素子としてのフォトトランジスタ１１とを備えている。
【００２７】
テープ始端センサＡにおいて、フォトトランジスタ７のコレクタは抵抗２４を介して電
源Ｖｃｃ（例えば５Ｖ）のラインＬに接続され、そのエミッタは接地されている。ＮＰＮ
型のトランジスタ２０は、ベースがフォトトランジスタ７のコレクタに接続され、コレク
タが抵抗２５を介してラインＬに接続されると共に抵抗２６を介して発光ダイオード１０
のアノードに接続され、エミッタが接地されている。発光ダイオード１０のカソードは接
地されている。フォトトランジスタ１１のコレクタは抵抗２９を介してラインＬに接続さ
れ、そのエミッタは接地されている。また、テープ始端センサＡおよびテープ終端センサ
Ｂにおいて、発光ダイオード５のアノードは抵抗２７を介してラインＬに接続され、その
カソードは接地されている。なお、これらの素子は図示しない基板上に実装されている。
【００２８】
テープ終端センサ部Ｂは、テープ始終端検出用発光素子としての発光ダイオード５と、
送り出し側テープ走行路を挟んで発光ダイオード５と対向的に配置された前段テープ終端
検出用受光素子としてのフォトトランジスタ６と、このフォトトランジスタ６が光を受光
したときに発光するテープ終端側発光素子としての発光ダイオード８と、送り出し側テー
プ走行路を挟んで発光ダイオード８と対向的に配置された後段テープ終端検出用受光素子
としてのフォトトランジスタ９とを備えている。
【００２９】
テープ終端センサＢにおいて、フォトトランジスタ６のコレクタは抵抗２１を介してラ
インＬに接続され、そのエミッタは接地されている。ＮＰＮ型のトランジスタ１９は、ベ
ースがフォトトランジスタ６のコレクタに接続され、コレクタが抵抗２１を介してライン
Ｌに接続されると共に抵抗２３を介して発光ダイオード８のアノードに接続され、エミッ
タが接地されている。発光ダイオード８のカソードは接地されている。フォトトランジス
タ９のコレクタは抵抗２８を介してラインＬに接続され、そのエミッタは接地されている
。なお、これらの素子は図示しない基板上に実装されている。
【００３０】
図２は本実施形態のテープエンド検出装置におけるテープ始終端検出用発光素子（発光
ダイオード５）と前段テープ始端検出用受光素子（フォトトランジスタ７）とテープ始端
側発光素子（発光ダイオード１０）と後段テープ始端検出用受光素子（フォトトランジス
タ１１）との配置、およびテープ始終端検出用発光素子（発光ダイオード５）と前段テー
プ終端検出用受光素子（フォトトランジスタ６）とテープ終端側発光素子（発光ダイオー
ド８）と後段テープ終端検出用受光素子（フォトダイオード９）との配置を説明するため
の構成図である。
【００３１】
図２において、１は磁気テープ３が巻き付けられている供給リール、２は供給リール１
から送り出された磁気テープ３が巻き取られる巻取りリールであり、これらは、図示しな
いカセットテープケース内に設けられている。４は周面に図示しない磁気ヘッドを有する
回転ドラムである。この回転ドラム４は磁気記録再生装置の本体ケース内に設けられてい
る。
【００３２】
５はテープ始終端検出用発光素子としての発光ダイオード、６はテープ終端検出用受光
素子としてのフォトトランジスタ、７はテープ始端検出用受光素子としてのフォトトラン
ジスタであり、フォトトランジスタ６は送り出し側テープ走行路を挟んで発光ダイオード
５と対向的に配置され、フォトトランジスタ７は巻き取り側テープ走行路を挟んで発光ダ
イオード５と対向的に配置されている。
【００３３】
発光ダイオード５は、カセットテープケースが磁気記録再生装置の本体ケースの前面に
設けられているテープ挿入口に挿入してセットされたときに、カセットテープケースの発
光用の孔から光（第１の光）が磁気テープ３の裏面に照射できるように、磁気記録再生装
置の基板に配置されている。また、フォトトランジスタ６およびフォトトランジスタ７は
、カセットテープケースの各受光用の孔から光が受光できるように、磁気記録再生装置の
基板に配置されている。また、後述する発光ダイオード８，１０およびフォトトランジス
タ９，１１についても、同様に磁気記録再生装置の基板に配置されている。
【００３４】
また、フォトトランジスタ６がオンしたときに発光する発光ダイオード８が、フォトト
ランジスタ６の近辺に配置され、送り出し側走行路を挟んで発光ダイオード８と対向的に
フォトトランジスタ９が配置されている。また、フォトトランジスタ７がオンしたときに
発光する発光ダイオード１０が、フォトトランジスタ７の近辺に配置され、巻き取り側走
行路を挟んで発光ダイオード１０と対向的にフォトトランジスタ１１が配置されている。
ただし、発光ダイオード８，１０の発光面がフォトトランジスタ６，７の受光面よりもそ
れぞれ前に配置されており、発光ダイオード８，１０からの光がそれぞれフォトトランジ
スタ６，７に影響を与えないようにしている。
【００３５】
図３は本実施形態においてテープ始終端を検出する動作を説明するためのフローチャー
トである。このフローチャートを参照してテープ始終端を検出する動作を説明する。
【００３６】
先ず、磁気テープ３の始終端を検出するための発光ダイオード５を発光させる（ステッ
プＳ１）。これにより、発光ダイオード５から第１の光（赤外線）が、磁気テープ３の始
端側の透明テープを通過して（ステップＳ２）、フォトトランジスタ７で受光され、フォ
トトランジスタ７がオンする（ステップＳ３）。このフォトトランジスタ７のオンによっ
てトランジスタ２０がオフされ、発光ダイオード１０にラインＬからの電流が流れ、発光
ダイオード１０が発光する（ステップＳ４）。
【００３７】
そして、発光ダイオード１０からの第２の光（赤外線）は、磁気テープ３の始端側の透
明テープを通過するので、フォトトランジスタ１１で受光され、これにより、フォトトラ
ンジスタ１１がオンする（ステップＳ５）。したがって、マイクロコンピュータ１２の入
力ポート１８はＬレベル信号を入力するので、これにより、マイクロコンピュータ１２は
磁気テープ３の始端を検出する（ステップＳ６）。
【００３８】
このようにして磁気テープ３の始端が検出された後、引き続き磁気テープ３が走行する
と、発光ダイオード５からの第１の光が磁気テープ３で遮断され（ステップＳ７）、これ
によりフォトトランジスタ７がオフする（ステップＳ８）。そして磁気テープ３が終端に
来て、発光ダイオード５の第１の光が、磁気テープ３の終端側に配されている透明テープ
を通過して（ステップＳ９）、フォトトランジスタ６で受光されると、フォトトランジス
タ６がオンする（ステップＳ１０）。
【００３９】
フォトトランジスタ６がオンすると、フォトトランジスタ１９がオフし、ラインＬから
の電流が発光ダイオード８に流れて、発光ダイオード８が発光する（ステップＳ１１）。
発光ダイオード８からの第３の光が、磁気テープ３の終端側の透明テープを通過するので
、フォトトランジスタ９で受光され、これにより、フォトトランジスタ９がオンする（ス
テップＳ１２）。したがって、マイクロコンピュータ１２の入力ポート１７はＬレベル信
号を入力するので、これにより、マイクロコンピュータ１２は磁気テープ３の終端を検出
する（ステップＳ１３）。この後、マイクロコンピュータ１２は、図示しないリール駆動
機構を駆動して磁気テープ３の巻き戻しを行う。
【００４０】
図４は本実施形態において外光が入って来た場合の動作を説明するためのフローチャー
トである。このフローチャートを参照して外光が入って来た場合の動作について説明する
。
【００４１】
磁気テープ３の走行中に磁気記録再生装置内に外光が入り（ステップＮ１）、その外光
がフォトトランジスタ６または／およびフォトトランジスタ７に届くと、フォトトランジ
スタ６または／およびフォトトランジスタ７がオンし（ステップＮ２）、これにより、ト
ランジスタ１９または／およびトランジスタ２０がオフし、発光ダイオード８または／お
よび発光ダイオード１０が発光する（ステップＮ３）。
【００４２】
ところが、発光ダイオード８または／および発光ダイオード１０からの光は、磁気テー
プ３により遮られ、フォトトランジスタ９または／およびフォトトランジスタ１１には届
かないので、フォトトランジスタ９およびフォトトランジスタ１１はオフのままであり（
ステップＮ４）、したがって、入力ポート１７および入力ポート１８はＨレベルのままで
あって、マイクロコンピュータ１２は動作しない（ステップＮ５）。即ち、磁気テープ３
の始端または／および終端を検出するような誤動作は起きない。したがって、関係のない
外光が磁気記録再生装置内に入っても、確実に磁気テープ３の始終端を検出することがで
きる。
【図面の簡単な説明】
【００４３】
【図１】本発明の一実施形態に係るテープエンド検出装置の回路構成を示す回路図である。
【図２】前記実施形態のテープエンド検出装置におけるテープ始終端検出用発光素子と前段テープ始端検出用受光素子とテープ始端側発光素子と後段テープ始端検出用受光素子との配置、およびテープ始終端検出用発光素子と前段テープ終端検出用受光素子とテープ終端側発光素子と後段テープ終端検出用受光素子との配置を説明するための構成図である。
【図３】前記実施形態においてテープ始終端を検出する動作を説明するためのフローチャートである。
【図４】前記実施形態において外光が入って来た場合の動作を説明するためのフローチャートである。
【図５】従来のテープエンド検出装置におけるテープ始終端検出用発光素子とテープ始端検出用受光素子とテープ終端検出用受光素子との配置を説明するための構成図である。
【符号の説明】
【００４４】
Ａ    テープ始端センサ部
Ｂ    テープ終端センサ部
３    磁気テープ
５    発光ダイオード（テープ始終端検出用発光素子）
６    フォトトランジスタ（前段テープ終端検出用受光素子）
７    フォトトランジスタ（前段テープ始端検出用受光素子）
８    発光ダイオード（テープ終端側発光素子）
９    フォトトランジスタ（後段テープ終端検出用受光素子）
１０    発光ダイオード（テープ始端側発光素子）
１１    フォトトランジスタ（後段テープ始端検出用受光素子）
【図１】
2006031812.tif 000003
【図２】
2006031812.tif 000004
【図３】
2006031812.tif 000005
【図４】
2006031812.tif 000006
【図５】
2006031812.tif 000007